(57)【要約】【課題】枚葉オフセット印刷機のデリバリー部にあるパウダースプレー装置で、余分なパウダーを集塵する集塵機とエンドレスチェーン等に堆積しているパウダーを吹き飛ばすパウダー自動清掃装置を備えた裏移り防止用パウダースプレー装置において、前記パウダー自動清掃装置周辺のパウダーおよびエンドレスチェーン等に堆積したパウダーに加え、パウダースプレー装置付近に堆積しているパウダーをも清掃可能にしたパウダー自動清掃装置を備えたパウダースプレー装置及びその運転システムの提供にある。【解決手段】上記パウダー自動清掃装置２５を構成するエアーノズル２５ａは、印刷物３の搬送方向Ｐに３６０°回転可能な構造を有し、さらにこのエアーノズル２５ａに供給されるエアーの圧力を自動的に低圧、高圧とに調整できるパウダー自動清掃装置２５を備えたものである。【選択図】図２
2005238455.tif 000002
【特許請求の範囲】
【請求項１】
枚葉オフセット印刷機のデリバリー部で、印刷された印刷物をパイル部に搬送するエンドレスチェーンの上に、該搬送される印刷物の幅方向に複数のパウダーノズルを有し、該パウダーノズルから噴出するパウダーにより印刷物の裏移りを防止するパウダースプレー装置と該パウダースプレー装置の略斜め上に、前記搬送される印刷物の幅方向に複数のエアーノズルを有し、前記エンドレスチェーン等に堆積したパウダーを吹き飛ばすエアーブローでなるパウダー自動清掃装置を備え、かつ前記パウダースプレー装置から噴出した余分なパウダーおよび該エアーブローでなるパウダー自動清掃装置で吹き飛ばされたパウダーを集塵する集塵機とを有するパウダースプレー装置において、前記エアーブローでなるパウダー自動清掃装置を構成するエアーノズルは、印刷物の搬送方向もしくはその逆方向に３６０°回転可能な構造を有していることを特徴とするパウダー自動清掃装置を備えたパウダースプレー装置。
【請求項２】
上記エアーブローでなるパウダー自動清掃装置は、これに供給されるエアーの圧力を自動的に調整可能にしていることを特徴とする請求項１記載のパウダー自動清掃装置を備えたパウダースプレー装置。
【請求項３】
上記請求項１または２記載のパウダー自動清掃装置を備えたパウダースプレー装置の運転システムであって、印刷機の稼働中においては、パウダースプレー装置の稼働とともに、前記パウダー自動清掃装置のブローエアーを低圧にし、かつ該ブローエアーを噴出するエアーノズルを印刷物の搬送方向もしくはその逆方向に所定の角度で回転させてブローエアーを噴出せしめ、また集塵機は集塵能力を下げて運転し、印刷終了時においては、その終了と同時に前記パウダースプレー装置を停止し、それとともに前記集塵機の集塵能力を自動的に最大にして運転し、かつパウダー自動清掃装置のブローエアーを高圧にして、前記エンドレスチェーン等に堆積したパウダーを吹き飛ばして、該集塵能力を最大にした集塵機で集塵し、続いて前記エアーノズルを印刷物の搬送方向もしくはその逆方向に３６０°回転させて該エアーノズル自身およびその周辺に堆積しているパウダーを吹き飛ばし、そのパウダーを前記集塵機で集塵するようにしたことを特徴とするパウダー自動清掃装置を備えたパウダースプレー装置の運転システム。
【発明の詳細な説明】
【技術分野】
【０００１】
本発明は、枚葉オフセット印刷機内に設置されているパウダースプレー装置に関するものであり、さらに詳細には、印刷物のブロッキングを防止するパウダーの散布により、前記のパウダースプレー装置付近等に堆積する余分なパウダーを自動的に清掃するパウダー自動清掃装置を備えたパウダースプレー装置及びその運転システムに関する。
【背景技術】
【０００２】
一般に、枚葉（平台）オフセット印刷機のデリバリー部においては、印刷物が一枚一枚がパイル部で紙積み板に順次積載され、積載状態で紙（印刷物）を積み重ねることにより、先に積載された印刷物が後から順次排出されてくる紙の重量で圧縮荷重がかかるようになる。このため積載される印刷物のインキが次に積載される印刷物の裏面に転写される、いわゆる印刷物のブロッキング（裏移り）と呼ばれる印刷障害が発生する。
【０００３】
このブロッキング（裏移り）は、印刷物の価値を著しく低下させ、印刷クレームの大きな要因にもなっている。このため印刷物のブロッキングや紙の密着による不具合を改善するために、印刷物の表面にブロッキングや紙の密着による不具合を改善（防止）するためのブロッキング防止用パウダー（デンプンやタルクの微分末）がパウダースプレーノズルからデリバリー部内で散布されるようにしてある。
【０００４】
このブロッキング防止用パウダーは、一般的にはデンプンやタルクで、粒径が７０μｍ以下、好ましくは１０〜３０μｍの範囲の微分末でなり、これをパウダースプレー装置によって散布され、デリバリー部内を走行する印刷物の表面に堆積される。
【０００５】
しかし、上記パウダースプレー装置では、散布されたパウダーがパウダースプレー装置付近、例えば印刷物を搬送するエンドレスチェーンやくわえ爪、くわえ棒等を含め、舞い上がったパウダーがパウダーノズル自身やパウダーノズルパイプ等に堆積すると、その堆積されたパウダーが一気に落下する、いわゆる「パウダーのぼた落ち」現象により、印刷物を汚す等の問題がある。従ってこの「パウダーのぼた落ち」を防止するため、定期的にパウダースプレー装置付近、すなわちエンドレスチェーンやくわえ爪、くわえ棒、パウダーノズル等を人手によって清掃するが、この清掃に長時間を要し、人手とその作業時間に大きなロスが生じていた。
【０００６】
そこで、上記清掃に要するリスクを減少させるため、通常はこのパウダーの堆積を少なくする方法として、散布したパウダーの余剰分を集塵するための集塵機を用い、その集塵力を高めてパウダーの堆積量を減少させることができるが、その集塵力を高めること（その程度）によって、逆に印刷物の印刷面へのパウダーが少なくなり過ぎて、目的の裏移り防止という主目的が薄れるという問題があり、よって印刷中にこの集塵機を用いた時の集塵力（圧力）の調整が難しく、できるだけ低圧で行わなければならず、よって清掃に要するリスクはかなり減少させることができるが、まだ不十分なもので、人手による清掃が不可欠なものであった。
【０００７】
上記集塵機を設けた方法の問題点を解消する方法として、パウダースプレー装置付近や印刷物をパイル部に搬送するエンドレスチェーン、くわえ爪などに堆積したパウダーを、印刷終了後にパウダースプレー装置の近傍に設けられた圧縮エアーなどのブローエアーで強制的に吹き飛ばし、それを集塵機で集塵し除去する付着パウダー強制飛散回収装置がある（例えば、特許文献１参照。）。
【０００８】
以下に、上記先行技術文献を示す。
【特許文献１】特開２００３−３２０６４２号公報
【発明の開示】
【発明が解決しようとする課題】
【０００９】
しかしながら、上記の従来技術（ブローエアーと集塵機による堆積パウダーの回収除去方法）においては、このブローエアーを噴出するエアーノズルおよびその周辺（カバー等）に飛散して堆積したパウダーが新たな「ぼた落ち」の発生源となるという問題があり、さらにこのエアーノズルの設置位置が固定されているため、エアーの噴出位置が狭く限定され広範囲の吹き飛ばし（清掃）ができず、広範囲の吹き飛ばし（清掃）を可能とするには、エアーノズルを（エンドレスチェーンで搬送される印刷物の流れ方向に）複数の位置に設置しなければならず、よって上記のエアーノズルの清掃というリスクがさらに増加するという問題があった。
【００１０】
さらに、上記ブローエアーと集塵機による堆積パウダーの回収除去方法では、印刷終了後にブローエアーで強制的に吹き飛ばし、高圧の集塵機で集塵しているので、エンドレスチェーンやくわえ爪などに堆積したパウダーは、十分に清掃されるが、印刷中に舞い上がってパウダースプレー装置付近、特にパウダーノズルやそのカバー等に堆積しているパウダーは、この吹き飛ばし（清掃）によっては解決できないという問題点があった。
【００１１】
本発明は、かかる従来技術の問題点を解決するものであり、その課題とするところは、枚葉（平台）オフセット印刷機のデリバリー部で、余分なパウダーを集塵する集塵機と印刷物を搬送するエンドレスチェーン等に堆積しているパウダーを吹き飛ばすエアーブローでなるパウダー自動清掃装置を備えた、印刷物の裏移り（ブロッキング）を防止するパウダースプレー装置において、前記エアーブローのエアーノズルおよびその周辺（カバー等）に飛散して堆積したパウダーが清掃され、かつ印刷物の搬送方向にも広範囲の吹き飛ばし（清掃）を可能とし、さらに前記エンドレスチェーンやくわえ爪などに堆積したパウダーに加え、印刷中に舞い上がってパウダースプレー装置付近、特にパウダーノズルやそのノズルパイプやカバーハウス等周辺に堆積しているパウダーをも清掃可能にしたパウダー自動清掃装置を備えたパウダースプレー装置を提供することにある。
【課題を解決するための手段】
【００１２】
本発明に於いて上記課題を達成するために、まず請求項１の発明では、枚葉オフセット印刷機のデリバリー部で、印刷された印刷物をパイル部に搬送するエンドレスチェーンの上に、該搬送される印刷物の幅方向に複数のパウダーノズルを有し、該パウダーノズルから噴出するパウダーにより印刷物の裏移りを防止するパウダースプレー装置と該パウダースプレー装置の略斜め上に、前記搬送される印刷物の幅方向に複数のエアーノズルを有し、前記エンドレスチェーン等に堆積したパウダーを吹き飛ばすエアーブローでなるパウダー自動清掃装置を備え、かつ前記パウダースプレー装置から噴出した余分なパウダーおよび該エアーブローでなるパウダー自動清掃装置で吹き飛ばされたパウダーを集塵する集塵機とを有するパウダースプレー装置において、前記エアーブローでなるパウダー自動清掃装置を構成するエアーノズルは、印刷物の搬送方向もしくはその逆方向に３６０°回転可能な構造を有していることを特徴とするパウダー自動清掃装置を備えたパウダースプレー装置としたものである。
【００１３】
また、請求項２の発明では、上記エアーブローでなるパウダー自動清掃装置は、これに供給されるエアーの圧力を自動的に調整可能にしていることを特徴とする請求項１記載のパウダー自動清掃装置を備えたパウダースプレー装置としたものである。
【００１４】
さらにまた、請求項３の発明では、上記請求項１または２記載のパウダー自動清掃装置を備えたパウダースプレー装置の運転システムであって、印刷機の稼働中においては、パウダースプレー装置の稼働とともに、前記パウダー自動清掃装置のブローエアーを低圧にし、かつ該ブローエアーを噴出するエアーノズルを印刷物の搬送方向もしくはその逆方向に所定の角度で回転させてブローエアーを噴出せしめ、また集塵機は集塵能力を下げて運転し、印刷終了時においては、その終了と同時に前記パウダースプレー装置を停止し、それとともに前記集塵機の集塵能力を自動的に最大にして運転し、かつパウダー自動清掃装置のブローエアーを高圧にして、前記エンドレスチェーン等に堆積したパウダーを吹き飛ばして、該集塵能力を最大にした集塵機で集塵し、続いて前記エアーノズルを印刷物の搬送方向もしくはその逆方向に３６０°回転させて該エアーノズル自身およびその周辺に堆積しているパウダーを吹き飛ばし、そのパウダーを前記集塵機で集塵するようにしたことを特徴とするパウダー自動清掃装置を備えたパウダースプレー装置の運転システムとしたものである。
【発明の効果】
【００１５】
本発明は以上の構成であるから、下記に示す如き効果がある。
【００１６】
即ち、上記請求項１に係る発明によれば、枚葉オフセット印刷機のデリバリー部で、印刷された印刷物をパイル部に搬送するエンドレスチェーンの上に、該搬送される印刷物の幅方向に複数のパウダーノズルを有し、該パウダーノズルから噴出するパウダーにより印刷物の裏移りを防止するパウダースプレー装置と該パウダースプレー装置の略斜め上に、前記搬送される印刷物の幅方向に複数のエアーノズルを有し、前記エンドレスチェーン等に堆積したパウダーを吹き飛ばすエアーブローでなるパウダー自動清掃装置を備え、かつ前記パウダースプレー装置から噴出した余分なパウダーおよび該エアーブローでなるパウダー自動清掃装置で吹き飛ばされたパウダーを集塵する集塵機とを有するパウダースプレー装置において、前記パウダースプレー装置の斜め上に載置されているエアーブローでなるパウダー自動清掃装置のエアーノズルを印刷物の搬送方向もしくはその逆方向にに３６０°回転できるようにすることによって、エアーの射出範囲を印刷物の搬送方向に広くすることができ、よって広範囲の堆積パウダーの吹き飛ばし（清掃）が可能になる。
【００１７】
かつまた、エアーノズルを３６０°回転させることによって、従来不可能だったエアーノズル自身およびそのパイプ部やカバーハウス内等周辺へ堆積したパウダーをも吹き飛ばし、集塵機で集塵し清掃できるようにしたパウダー自動清掃装置を備えたパウダースプレー装置とすることも可能にする効果もある。
【００１８】
また、上記請求項２に係る発明によれば、エアーブローでなるパウダー自動清掃装置のブローエアーの圧力を、自動的に調整可能とすることによって、印刷機の稼働中は、パウダー自動清掃装置のブローエアーを低圧で運転でき、すなわち低圧で運転すると、印刷物上のパウダーまで吹き飛ばさないようにすることができ、かつエンドレスチェーン等の堆積パウダーを緩やかに吹き飛ばすとともに、舞い上がるパウダーを集塵機の方に導くようにし、印刷終了（刷了）後（印刷物は搬送されないがエンドレスチェーンやくわえ爪等は回転している空運転状態にある）は、パウダー自動清掃装置のブローエアーを高圧で運転でき、すなわちエンドレスチェーン等に堆積しているパウダーを強制的に吹き飛ばし、集塵機で強制的に集塵し清掃するようにすることができる。
【００１９】
さらにまた、上記請求項３に係る発明によれば、上記請求項１または２に記載のようなパウダー自動清掃装置を備えたパウダースプレー装置の運転システムとして、印刷機の稼働中には、パウダースプレー装置の稼働とともに、集塵機を集塵能力を下げて運転して印刷物の印刷面のパウダーが少な過ぎとならないようにし、またパウダー自動清掃装置のブ
ローエアーを低圧にし、前記印刷物の印刷面のパウダーまで吹き飛ばさないようにし、かつエンドレスチェーン等の堆積パウダーを緩やかに吹き飛ばすとともに、舞い上がるパウダーを集塵機の方に導くようにすることによって、パウダースプレー装置付近、即ちパウダーノズル自身、その上にあるパウダーノズルパイプ、それらを覆っているカバーハウス内に堆積するパウダーを抑制し、このブローエアーを噴出するエアーノズルを印刷物の搬送方向もしくはその逆方向に所定の角度で回転させて、広範囲のエンドレスチェーン等に堆積しているパウダーをゆるやかに吹き飛ばし（清掃）することができる。
【００２０】
また、印刷終了（刷了）時（印刷物は搬送されないがエンドレスチェーンやくわえ爪等は回転している空運転状態にある）には、この刷了と同時にパウダースプレー装置を停止し、それとともに集塵機の集塵能力を最大にし、かつパウダー自動清掃装置のブローエアーを高圧にすることによって、エンドレスチェーンやくわえ爪等に堆積しているパウダーを強制的に吹き飛ばし、強制的に集塵して清掃し（この時のエアーノズルは、印刷物の搬送方向もしくはその逆方向に所定の角度で回転しながらエアーを噴射している）、続いてこのエアーノズルを印刷物の搬送方向もしくはその逆方向に３６０°回転させることによって、このブローエアーがエアーノズル等を覆っているカバーハウス内およびこの内面で反射し、エアーノズル自身、その上部にあるエアーノズルパイプなどに堆積しているパウダーをも吹き飛ばし、集塵能力を最大にした集塵機で回収することができるようにしたパウダー自動清掃装置を備えたパウダースプレー装置の運転システムを提供できる効果がある。
【００２１】
従って本発明は、枚葉オフセット印刷機内に設置されているパウダースプレー装置において、従来人手で長時間にわたる堆積パウダーの清掃作業を要していたものを、自動的に、かつ略完全に堆積パウダーを除去できるパウダー自動清掃装置を備えたパウダースプレー装置およびその運転システムとして、優れた実用上の効果を発揮する。
【００２２】
以下本発明を実施するための最良の形態にいて図面を用いて詳細に説明する。
【発明を実施するための最良の形態】
【００２３】
本発明は、図１の概略側面図に示すように、例えば印刷用紙等被印刷体を送り出すフィーダー部（７０）と、該被印刷体上に印刷版よりブランケット上に転移せしめたインキを転写する印刷ユニット部（５０）と、該インキが転写された印刷物を集積するデリバリー部（３０）とでなり、該デリバリー部（３０）には、エンドレスチェーン（２１）のくわえ爪にくわえられて搬送する該インキが転写された印刷物（図示せず）上にでんぷんやタルクの微粉末でなるパウダーを散布するパウダースプレー装置（２２）と、パウダーが散布された複数の印刷物を積み上げるパイル部（２４）とで構成されている枚葉オフセット印刷機（１００）で、この印刷物のインキによるブロッキング（裏移り）を防止するパウダーの散布により、エンドレスチェーン（２１）やくわえ爪（図示せず）等の他前記のパウダースプレー装置（２２）付近等に堆積する余分なパウダーを自動的に清掃するパウダー自動清掃装置（２５）を備えたパウダースプレー装置（２２）及びその運転システムに関するものである。
【００２４】
上記請求項１に係る発明のパウダー自動清掃装置を備えたパウダースプレー装置は、例えば図２の側面概略図に示すように、枚葉オフセット印刷機のデリバリー部（３０）において、印刷された印刷物（３）をパイル部（２４）に搬送するため、例えば図３の拡大正面図に示すように、エンドレスチェーン（２１）のくわえ爪（図示せず）にくわえられ、走行する印刷物（３）上に、まだ乾燥していないオフセットインキ（枚葉オフセット用インキは、酸化重合型のインキで、すぐには乾燥しないため）が、パイル部でブロッキング（裏移り）現象を起こさないようにするため、パウダーノズル（２２ａ）からパウダー（２）を散布するパウダースプレー装置（２２）が配設されている。
【００２５】
このパウダースプレー装置（２２）は、図３に示すように、搬送さる印刷物（３）の幅方向（Ｗ）に複数個（Ａ全判仕様の印刷機の場合６個）のパウダーノズル（２２ａ）とその上部に連結していて、さらにこれらパウダーノズル（２２ａ）にパウダーを供給するパウダー供給パイプ（２２ｂ）と、これらを覆っているカバーハウス（２２ｃ）で構成されている。
【００２６】
また、図２に示すように、上記パウダースプレー装置（２２）の斜め上には、搬送する印刷物（３）の幅方向（図示せず）に複数個（Ａ全判仕様の印刷機の場合６個程度）のエアーノズル（２５ａ）を有し、ブローエアーを吹き付けて堆積しているパウダーを吹き飛ばすパウダー自動清掃装置（２５）が載置されている。
【００２７】
そして、このパウダー自動清掃装置（２５）は、前述のエアーノズル（２５ａ）とその上部にはエアーノズル（２５ａ）に均一にブローエアーを供給するエアーノズルパイプ（２５ｂ）がこれらエアーノズル（２５ａ）と連結されていて、さらにこのエアーノズルパイプ（２５ｂ）の上には、これらをカバーするためのカバーハウス（２５ｃ）が設けられている。
【００２８】
また、上記パウダースプレー装置（２２）の下部には、このパウダースプレー装置（２２）から噴射された余分なパウダーやエンドレスチェーン（２１）、くわえ爪（２３）等に堆積したパウダー等を集塵する集塵部（２６ａ）と圧縮機（２６ｂ）でなる集塵機（２６）が配設されている。
【００２９】
そこで、本発明のパウダー自動清掃装置を備えたパウダースプレー装置の特徴とするところは、例えば図４の側面拡大図に示すように、パウダー自動清掃装置（２５）を構成するエアーノズル（２５ａ）が印刷物の搬送方向（Ｐ）に３６０°回転可能なものとしたことにある。
【００３０】
このエアーノズル（２５ａ）の回転方向を、図４に示す印刷物の搬送方向（Ｐ）と逆方向に回転できるようにすることもできる。
【００３１】
このように、エアーノズル（２５ａ）が印刷物の搬送方向（Ｐ）に、あるいはそれと逆方向に３６０°回転可能とすることによって、例えば図２に示すように、印刷機の稼働中などでは印刷物の搬送方向（Ｐ）で、その下方に所定の角度（α＝９０°）で回転させながらブローエアーを吹き付けると、従来の固定型に比べ広範囲にブローエアーを吹き付けることができ、その結果広範囲にわたってエンドレスチェーン（２１）やくわえ爪（２３）などへ堆積しているパウダーを吹き飛ばし、かつパウダースプレー装置（２２）付近に舞い上がるパウダーを集塵機（２６）の集塵部（２６ａ）の方に導くようにして清掃することができる。
【００３２】
また、例えば図４に示すように、印刷の終了時などでは、エアーノズル（２５ａ）を印刷物の搬送方向（Ｐ）に３６０°回転させることによって、カバーハウス（２５ｃ）の内面にも吹き付けることができ、かつこの内面から反射したブローエアー（４）がエアーノズルパイプ（２５ｂ）の上部やエアーノズル（２５ａ）自身へも吹き付けることができるようになり、よってこのパウダー自動清掃装置（２５）付近に堆積したパウダーをも吹き飛ばす（清掃）ことができるようにしたものである。
【００３３】
なお、上記エアーノズル（２５ａ）の回転は、例えば図５のパウダー自動清掃装置の制御説明図に示すように、搬送する印刷物の幅方向（Ｗ）に、エアーノズルパイプ（２５ｂ）で連結されている６個のエアーノズル（２５ａ）を、ギアードモーター（２７）で成さ
れるようにしてあり、またエアーノズル（２５ａ）から噴出されるブローエアー（４）は、印刷物の幅方向（Ｗ）に扇型に広がるようにして、幅方向（Ｗ）に対し均一に噴出され広がるようになっている。
【００３４】
また、上記請求項２に係る発明のパウダー自動清掃装置を備えたパウダースプレー装置は、例えば、図２に示すようなパウダー自動清掃装置（２５）に供給される圧縮エアーの圧力を自動的に、即ち印刷機およびパウダースプレー装置（２２）の稼働に連動して調整できるようにしたもので、例えば、図５のパウダー自動清掃装置の制御説明図に示すように、搬送する印刷物の幅方向（Ｗ）に６個のエアーノズル（２５ａ）を有し、それらエアーノズル（２５ａ）に圧縮エアーを供給するエアーノズルパイプ（２５ｂ）でこれらを連結している。
【００３５】
このエアーノズルパイプ（２５ｂ）の中間にセパレータープレート（２５ｄ）を設けてエアーノズル（２５ａ）を３個づつに分割し、圧縮エアーは、このエアーノズルパイプ（２５ｂ）の両端から供給されるようになっている。
【００３６】
この圧縮エアーの圧力を低圧と高圧に、印刷機の稼働と連動して調整できるようにしたもので、具体的には、例えば図５に示すように、印刷機（１００）の稼働中は、圧縮エアーの圧力を低圧にするように、制御盤（２８）のシーケンサー（２８ａ）の切り替えで、エアーノズルパイプ（２５ｂ）の両端にある低圧側バルブ（３２）が開放し、低圧の圧縮エアーがエアーノズルパイプ（２５ｂ）に供給されエアーノズル（２５ａ）から低圧のブローエアー（４）が放出されるようになる。
【００３７】
次いで印刷終了（刷了）と同時に、制御盤（２８）のシーケンサー（２８ａ）の切り替えで、高圧側バルブ（３３）が開放し、高圧のエアーがエアーノズルパイプ（２５ｂ）の両端から供給され各エアーノズル（２５ａ）から高圧のブローエアー（４）が放出されるように自動的に調整可能なパウダー自動清掃装置を備えたパウダースプレー装置とすることができる。
【００３８】
さらにまた、上記請求項３に係る発明は、以上のようなパウダー自動清掃装置を備えたパウダースプレー装置の運転システムであり、そのシステムを図２の側面概略図を用いて説明する。
【００３９】
まず、印刷機の稼働（印刷）中は、搬送するエンドレスチェーン（２１）のくわえ爪（２３）にくわえられた印刷物（３）の印刷面上にパウダーを散布するパウダースプレー装置（２２）の稼働とともに、パウダー自動清掃装置（２５）の圧縮エアーを低圧にし、かつこの低圧の圧縮エアーによるブローエアーを噴出するエアーノズル（２５ａ）を印刷物の搬送方向（Ｐ）に略９０°で回転させてブローエアーを噴出せしめ、また集塵機（２６）は集塵能力を下げて運転する。
【００４０】
次いで印刷終了時（印刷物は搬送されないがエンドレスチェーンやくわえ爪等は回転している空運転状態にある）においては、その終了と同時にパウダースプレー装置（２２）を停止し、それとともにこの集塵機（２６）の集塵能力を自動的に最大にして運転し、かつパウダー自動清掃装置（２５）に供給する圧縮エアーを高圧にして高圧のブローエアーをエアーノズル（２５ａ）から噴出させ、回転しているエンドレスチェーン（２１）やくわえ爪（２３）等に堆積したパウダーを強制的に吹き飛ばして、それを集塵能力を最大にした集塵機（２６）で集塵する。
【００４１】
続いてパウダー自動清掃装置（２５）のエアーノズル（２５ａ）を印刷物の搬送方向（Ｐ）に３６０°回転させて、エアーノズル（２５ａ）自身およびその周辺に堆積している
パウダーを吹き飛ばし、そのパウダーを集塵能力を最大にした集塵機（２６）で集塵するようにしたパウダー自動清掃装置を備えたパウダースプレー装置の運転システムとしたものである。
【００４２】
このようなパウダー自動清掃装置を備えたパウダースプレー装置の運転システムとすることによって、印刷機の稼働（印刷）中には、パウダースプレー装置（２２）の稼働とともに、集塵機（２６）を集塵能力を下げて運転して印刷物（３）の印刷面のパウダーが少な過ぎ（過剰）とならないようにし、またパウダー自動清掃装置（２５）からのブローエアーを低圧にし、印刷物（３）の印刷面のパウダーまで吹き飛ばさないようにし、かつエンドレスチェーン（２１）やくわえ爪（２３）等の堆積パウダーを緩やかに吹き飛ばすとともに、舞い上がるパウダーを集塵機（２６）の集塵部（２６ａ）の方に導くようにすることによって、パウダースプレー装置（２２）付近、即ちパウダーノズル（２２ａ）自身、その上にあるパウダーノズルパイプ（２２ｂ）、それらを覆っているカバーハウス（２２ｃ）内に堆積するパウダーを抑制する。
【００４３】
さらに、このブローエアーを噴出するエアーノズル（２５ａ）を印刷物の搬送方向（Ｐ）に略９０°回転させながら、広範囲のエンドレスチェーン（２１）やくわえ爪等に堆積するパウダーをゆるやかに吹き飛ばし（清掃し）て、そのパウダーの堆積を抑制するようにしている。
【００４４】
また、印刷終了（刷了）時には、印刷物（３）は搬送されてこないが、エンドレスチェーン（２１）やくわえ爪（２３）等は通常通り回転している空運転状態となり、この終了と同時にパウダースプレー装置（２２）を停止し、それとともに集塵機（２６）の集塵能力を最大にし、かつパウダー自動清掃装置（２５）から噴出するブローエアーを高圧にすることによって、回転しているエンドレスチェーン（２１）やくわえ爪（２３）等に堆積しているパウダーを強制的に吹き飛ばし、強制的に集塵して清掃する（この時のエアーノズルは、印刷物の搬送方向（Ｐ）に略９０°で回転しながらブローエアーを噴射している）。
【００４５】
続いて図４に示すように、このエアーノズル（２５ａ）を印刷物の搬送方向（Ｐ）に３６０°回転させることによって、このブローエアー（４）がエアーノズル（２５ａ）等を覆っているカバーハウス（２５ｃ）内に噴射されて、その内面に堆積しているパウダーをを吹き飛ばすとともに、このブローエアー（４）がカバーハウス（２５ｃ）内面で反射し、このエアーノズル（２５ａ）自身、その上部にあるエアーノズルパイプ（２５ｂ）等に堆積しているパウダーをも吹き飛ばす。
【００４６】
このようにして吹き飛ばされたパウダーが、図２に示す集塵能力を最大にした集塵機（２６）で回収することができるようにしたパウダー自動清掃装置（２５）を備えたパウダースプレー装置の運転システムとするものである。
【００４７】
以上のような本発明のパウダー自動清掃装置を備えたパウダースプレー装置およびその運転システムは、従来人手で長時間かけて裏移り防止のためのパウダースプレー装置による余剰のパウダーが装置近傍に堆積しているパウダーの清掃作業を行っていたものを、自動的にかつ略完全に清掃することを可能にしたもので、枚葉オフセット印刷機のデリバリー部に配設されているパウダースプレー装置として、実用上の優れた効果を発揮するものである。
【図面の簡単な説明】
【００４８】
【図１】本発明のパウダー自動清掃装置を備えたパウダースプレー装置が搭載されている枚葉オフセット印刷機の概略側面図である。
【図２】本発明のパウダー自動清掃装置を備えたパウダースプレー装置の一実施の形態を側面で表した説明図である。
【図３】本発明のパウダー自動清掃装置を備えたパウダースプレー装置の一事例を構成するパウダースプレー装置付近を拡大側面で表した説明図である。
【図４】本発明のパウダー自動清掃装置を備えたパウダースプレー装置を構成するパウダー自動清掃装置の拡大側面で表した模式図である。
【図５】本発明のパウダー自動清掃装置を備えたパウダースプレー装置を構成するパウダー自動清掃装置の制御系を説明するブロック図である。
【符号の説明】
【００４９】
２‥‥パウダー
３‥‥印刷物
４‥‥ブローエアー
２１‥‥エンドレスチェーン
２２‥‥パウダースプレー装置
２２ａ‥‥パウダーノズル
２２ｂ‥‥パウダーノズルパイプ
２２ｃ‥‥パウダースプレー装置のカバーハウス
２３‥‥くわえ爪
２４‥‥パイル部
２５‥‥パウダー自動清掃装置
２５ａ‥‥エアーノズル
２５ｂ‥‥エアーノズルパイル
２５ｃ‥‥パウダー自動清掃装置のカバーハウス
２５ｄ‥‥セパレータープレート
２６‥‥集塵機
２６ａ‥‥集塵部
２６ｂ‥‥圧縮機
２７‥‥ギアードモーター
２７ａ‥‥ギアードモーターのベルト
２８‥‥制御盤
２８ａ‥‥シーケンサー
２８ｂ‥‥モータ制御インバータ
２９‥‥逆止弁
３０‥‥デリバリー部
３２‥‥低圧側バルブ
３３‥‥高圧側バルブ
３４‥‥レギュレータ
３５‥‥エアー源
３６‥‥インバータ
３８‥‥エアー配管低圧側
３９‥‥エアー配管高圧側
５０‥‥印刷ユニット
７０‥‥フィーダー部
１００‥‥枚葉オフセット印刷機
Ｐ‥‥印刷物の搬送方向
Ｗ‥‥印刷物の幅方向
α‥‥エアーノズルの回転角度
【図１】
2005238455.tif 000003
【図２】
2005238455.tif 000004
【図３】
2005238455.tif 000005
【図４】
2005238455.tif 000006
【図５】
2005238455.tif 000007